(57)【要約】【課題】ディスクジョグダイアルの回転盤を操作中に押圧スイッチ手段の位置を容易に認識でき、操作性を向上することができる電子機器を提供することを目的とする。【解決手段】筐体１と、水平方向に回転自在にこの筐体に配置された回転盤２３と、この回転盤２３の回転を検出する回転検出手段と、この回転盤外周部近傍下方に設けられた押圧スイッチ手段２６ａ，２６ｂ，２６ｃ，２６ｄと、この回転盤２３周辺のこの筐体１の表面の押圧スイッチ手段２６ａ，２６ｂ，２６ｃ，２６ｄに対応する位置に、この回転盤２３表面と高さを異にした識別部２７ａ，２７ｂ，２７ｃ，２７ｄとを備えるようにしたものである。【選択図】  図４
2004296129.tif 000002
【特許請求の範囲】
【請求項１】
筐体と、
水平方向に回転自在に前記筐体に配置された回転盤と、
前記回転盤の回転を検出する回転検出手段と、
前記回転盤外周部近傍下方に設けられた押圧スイッチ手段と、
前記回転盤周辺の前記筐体の表面の前記押圧スイッチ手段に対応する位置に、前記回転盤表面と高さを異にした識別部とを備える
ことを特徴とする電子機器。
【請求項２】
請求項１記載の電子機器において、
前記識別部は、突起または窪みまたは凹凸形状または波状形状のいずれかより構成するようにした
ことを特徴とする電子機器。
【請求項３】
請求項２記載の電子機器において、
前記識別部が凹曲面である
ことを特徴とする電子機器。
【請求項４】
請求項１記載の電子機器において、
前記識別部は前記機器筐体上の前記回転盤周辺の上下左右の位置に設けるようにした
ことを特徴とする電子機器。
【請求項５】
請求項１記載の電子機器において、
前記回転盤表面の当該回転盤回転中心に突起または窪みを備える
ことを特徴とする電子機器。
【発明の詳細な説明】
【０００１】
【発明の属する技術分野】
本発明は、例えば水平回転検出機能および押圧スイッチ機能を備えた回転型操作手段を搭載する携帯電話機やゲーム機等に適用して好適な電子機器に関する。
【０００２】
【従来の技術】
従来、例えば操作盤外周部近傍の下方、上下左右４方向に押圧スイッチ手段（以下、スイッチと称する。）を備える操作スイッチが携帯電話機などに使用されている。この操作スイッチの目的のスイッチを適宜押圧して、この操作スイッチの操作に応動する表示画面上のカーソルを上下左右へ移動させたり、画面に表示されたデータをスクロールするなどのコマンド入力を行うことができる。また、この操作スイッチの操作盤表面には、例えば上下左右のスイッチ位置を認識するためのプリントが施され、確実に目的とするスイッチを押すことができるよう配慮されているものがある（例えば、引用文献１参照。）。
【０００３】
このような方向指示を行う操作スイッチとは別に、近年、回転検出機能および押圧検出機能を併せ持ち、携帯電話機等の電子機器に搭載可能な操作手段として、ジョグダイアルと称されるものが開発されている。図７に電子機器に搭載されたジョグダイアルとその周辺部の一例を示し、図７Ａは上面図、図７Ｂは図７ＡのＷ−Ｗ線断面図を表す。図７の例では、水平方向に回転するジョグダイアルとして示してある。ここでは、このジョグダイアルをディスクジョグダイアルと称する
【０００４】
図７Ａにおいて、１０３は水平方向に回転自在に配置されたディスクジョグダイアルの回転盤を表し、１０５は回転盤回転中心下方の機器筐体に設けられたスイッチ、１０６ａ，１０６ｂ，１０６ｃ，１０６ｄ（以下、１０６ａ〜１０６ｄと称する。）は回転盤外周部近傍下方の上下左右の位置に設けられた各スイッチをそれぞれ破線で示すものである。
【０００５】
図７Ｂにおいて、１００はこのディスクジョグダイアルが設置されている機器筐体の断面であり、回転盤１０３および切断線Ｗ−Ｗ線上のスイッチ１０５，１０６ａ，１０６ｃの断面を斜線で表している。スイッチ１０５は回転軸収納穴１０１の底部に配置されるとともに、スイッチ１０６ａ〜１０６ｄは回転盤収納穴１０２の底部所定位置にそれぞれ配置され、スイッチ１０５の垂直押圧部を兼ねた回転軸１０４が回転軸収納部１０１に収納されるとともに回転盤１０３が回転盤収納穴１０２に収納されている。
【０００６】
利用者の回転操作により、回転盤１０３の回転軸１０４はスイッチ１０５を支点にして水平方向に回転するとともに、回転盤１０３の所望の位置が押されると当該回転盤裏面と回転盤外周部近傍のスイッチ１０５、１０６ａ〜１０６ｄのいずれかが当接して所望のスイッチがオンになるように構成されている。
【０００７】
図８にこのディスクジョグダイアルの回転盤１０３の回転を検出する回転検出器の一例を示す。２０３は回転盤、点線２０４はこの回転盤２０３の裏面に例えば一周を１２等分割した位置に配置された磁石の位置を表すものである。２００は例えば電子機器の筐体等を示し、２０１および２０２はホール素子等からなる磁気センサである。
【０００８】
このような構成において、回転盤１０３を回転させると、回転盤裏面に配置された磁石が回転し、機器筐体に２つ設けられたセンサ２０１および２０２で磁界の変化を検出するが、このときのセンサ２０１および２０２の検出位相差、および検出順序を監視することによって、回転量および回転方向の情報を得ることができ、この情報が電子機器本体の制御部へと供給され、画面に表示されたカーソルを移動させるなど所定の制御が行われる。
【０００９】
【特許文献１】
特開２００２−１４９３０１号公報
【００１０】
【発明が解決しようとする課題】
しかしながら、図７に示した構成のディスクジョグダイアルのように、回転盤下方のスイッチが複数ある場合、目的のスイッチの真上を押すことが最も正確な操作感が得られるが、中間位置を押すと誤操作になるという怖れがある。例えば、図７Ａに示すように、スイッチ１０５と１０６ａの中間部に相当する回転盤表面を押したり、スイッチ１０６ｂと１０６ｃの中間部に相当する回転盤表面を押したりすると、意図しないスイッチが反応したりどちらのスイッチも反応しないといった誤操作が発生する。
【００１１】
正確な操作をするためには、押すべき場所を確認した上で操作する必要があったため、操作に時間がかかったり、また引用文献１に記載の操作部表面にスイッチ位置を表示するプリントを施す方法を適用した場合、視認しにくい状況での操作では誤操作を招きやすいといった不都合を生じる問題があった。さらに、回転盤１３が回転してしまうので、プリントされたスイッチ位置と実際の回転盤１０３下方に設置されたスイッチの左右上下の位置関係とがずれてしまい、プリントが意味をなさないといった不都合が生じる問題があった。
【００１２】
斯かる点に鑑み、本発明は、回転型操作手段の回転盤を操作中に押圧スイッチ手段の位置を容易に認識でき、操作性を向上することができる電子機器を提供することを目的とする。
【００１３】
【課題を解決するための手段】
本発明電子機器は、筐体と、水平方向に回転自在にこの筐体に配置された回転盤と、この回転盤の回転を検出する回転検出手段と、この回転盤外周部近傍下方に設けられた押圧スイッチ手段と、この回転盤周辺のこの筐体の表面の押圧スイッチ手段に対応する位置に、この回転盤表面と高さを異にした識別部とを備えるようにしたものである。
【００１４】
斯かる本発明によれば、回転盤周辺の筐体の表面の押圧スイッチ手段に対応する位置に、この回転盤表面と高さを異にした識別部を設けるようにしたので、回転盤が回転しても回転盤下方に設置された押圧スイッチ手段の位置を触覚にて容易に把握することができる。
【００１５】
【発明の実施の形態】
以下、図１〜図４を参照して、本発明電子機器の一実施の形態の例につき、持ち運び可能ないわゆる携帯電話機に適用した場合について説明する。
【００１６】
本例においては、いわゆる折畳み型携帯電話機に適用した例としてあり、図１に本例の折畳み型携帯電話機の下側筐体と上側筐体が全開状態の外観斜視図を示す。
【００１７】
図１において、１は下側筐体、１１は上側筐体であり、この下側筐体１と上側筐体１１はヒンジ部１０により開閉自在に接続され、この下側筐体１の内側（閉じた状態のとき上側筐体１１と接する面）には、操作ボタン群２、水平回転検出機能および押圧スイッチ機能を併せ持ついわゆるディスクジョグダイアルの回転盤２３、マイクロホン４が設けられている。
【００１８】
上側筐体１１の内側には、この折畳み型携帯電話機を開いた状態において主に使用される例えばＬＣＤ（Ｌｉｑｕｉｄ  Ｃｒｙｓｔａｌ  Ｄｉｓｐｌａｙ）からなる表示画面（以下、メイン画面と称する。）１２、スピーカ１３が設けられている。さらに、ヒンジ部１０の中間部にＣＣＤ（Ｃｈａｒｇｅ  Ｃｏｕｐｌｅｄ  Ｄｅｖｉｃｅ）型  やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型等の撮像素子を格納し下側筐体１および上側筐体１１の開閉動作と独立してほぼ１８０°回動可能なカメラ２０が設けられている。２１はカメラ２０のレンズである。
【００１９】
図２は本例の折畳み型携帯電話機の下側筐体と上側筐体が半開状態の外観斜視図を示す。図中、上側筐体１１の外側には折畳み型携帯電話機を閉じた状態において主に使用される例えばＬＣＤからなる表示画面（以下、サブ画面と称する。）１４、カメラ２０のシャッターボタン１５が配置されている。また、図示しないが無線信号を送信および受信するためのアンテナを備える。
【００２０】
図３は、本例の携帯電話機の回路構成の例を示すブロック線図である。
【００２１】
１１０はシステム全体の制御を行う制御部、１０７は各種情報を格納したり制御部１１０が制御を行うのに必要な作業領域を提供する汎用ＲＡＭ（Ｒａｎｄｏｍ  Ａｃｃｅｓｓ  Ｍｅｍｏｒｙ）、１０８は各種制御プログラム等を格納したＲＯＭ（Ｒｅａｄ  Ｏｎｌｙ  Ｍｅｍｏｒｙ）である。この制御部１１０は、演算・制御用のＣＰＵ（Ｃｅｎｔｒａｌ  Ｐｒｏｃｅｓｓｉｎｇ  Ｕｎｉｔ）１１１を備え、図示しないシステムバスを通じてＲＡＭ１０７、ＲＯＭ１０８および各種周辺デバイスと接続するための外部インターフェース１１２と接続されており、例えば操作部２または２３を操作すると、その操作出力が外部インターフェース１１２およびシステムバスを介してＣＰＵ１１１に供給され、ＣＰＵ１１１によりＲＯＭ１０８のプログラムにしたがって所定の処理が行われる。
【００２２】
１０１は無線信号を送信および受信するアンテナであり受信信号および送信信号を１つのアンテナで共用するアンテナ共用器１０２と接続され、制御部１１０からの送信信号は変調器１０３、アンテナ共用器１０２を介してアンテナ１０１より送信され、アンテナ１０１より受信した受信信号はアンテナ共用器１０２、復調器１０４を介して制御部１１０に供給される。
【００２３】
基地局から電話の呼び出しや電子メールをアンテナ１０１を介して復調器１０４にて受信すると、受信信号が制御部１１０に供給され、制御部１１０はスピーカ１３からの音声で電話の呼び出しや電子メールの受信を利用者に知らせたり、操作ボタン群２の背面に設けられたＬＥＤ１０５による点滅表示により知らせたり、またバイブレータ１０６によって体感振動で知らせるようにしている。またこのとき、制御部１１０は図示しないディスプレイコントローラを介して表示装置１２または１４の画面上に相手の電話番号や電子メール送信者のアドレスを表示するようにしている。
【００２４】
呼び出しに応じて利用者が電話に出ると、相手の音声信号がアンテナ１０１を介して復調器１０４にて受信され、制御部１１０を介してスピーカ１３に供給され、また、マイクロホン４からの自分の音声信号が制御部１１０より変調器１０３を介してアンテナ１０１に供給されて基地局へ送信される。こうして相手との通話が行われる。また、受信した電子メールを開封するとメールの内容を表示装置１２または１４の画面上に表示する。
【００２５】
カメラ２０はレンズ２１を通して所望の画角設定で被写体の映像を取り込み、取り込まれた映像は制御部１１０を介して表示装置１２または１４に表示され、そして表示された映像を操作ボタン群２などに設けられたシャッターボタンを押して所望の静止画や動画を図示しない内部の不揮発性メモリまたはリムーバブルな記録媒体に保存することができる。
【００２６】
次に、本例の携帯電話機に搭載されたディスクジョグダイアルおよびその周辺形状について詳細に説明する。図４は本例のディスクジョグダイアルとその周辺部を示し、図４Ａは上面図、図４Ｂは図４ＡのＸ−Ｘ線断面図を表す。
【００２７】
図４Ａにおいて、２３は水平方向に回転自在に配置されたディスクジョグダイアルの回転盤を表すとともに、２３ａは回転盤２３表面の回転盤回転中心に設けられた窪みである。２６ａ，２６ｂ，２６ｃ，２６ｄ（以下、２６ａ〜２６ｄと称する。）は回転盤外周部近傍下方の上下左右の位置に設けられたスイッチをそれぞれ破線で示すものである。また、２７ａ，２７ｂ，２７ｃ，２７ｄ（以下、２７ａ〜２７ｄと称する。）は、回転盤２３周辺の機器筐体（下側筐体）上に、後述する回転盤２３外周部近傍下方の上下左右位置に設けられた押圧スイッチ手段（以下、スイッチと称する。）の位置を認識するための識別部として設けられた突起であり、回転盤２３回転中心と各スイッチとを結ぶ半径延長線上に配置されている。
【００２８】
図４Ｂにおいて、１はこのディスクジョグダイアルが設置されている機器筐体（下側筐体）であり、回転盤２３および切断線Ｘ−Ｘ線上のスイッチ２５，２６ａ，２６ｃの断面を斜線で表している。スイッチ２６ａ，２６ｃはそれぞれ右側スイッチ、左側スイッチであり、図４Ａに示すように、この例ではスイッチは上下左右の４方向に設置されている。スイッチ２５は回転軸収納穴２１の底部に配置されるとともに、スイッチ２６ａ〜２６ｄは回転盤収納穴２２の底部所定位置にそれぞれ配置され、スイッチ２５の垂直押圧部を兼ねた回転軸２４が回転軸収納部２１に収納されるとともに回転盤２３が回転盤収納穴２２に収納されている。
【００２９】
この例では、回転盤２３表面と機器筐体１の高さがほぼ同じであるが、突起２７ａ〜２７ｄにより回転盤２３表面との高さに差をつけているとともに、収納溝２２の内周壁を垂直に伸ばして各突起部２７ａ〜２７ｄの操作者の指が触れる側壁としている。
【００３０】
また、本例のディスクジョグダイアルの回転盤２３の回転を検出する回転検出手段としては、図８に示すような回転検出器が一例として挙げられる。即ち、図８において、２０３は回転盤、点線２０４はこの回転盤２０３の裏面に例えば一周を１２等分割した位置に配置された磁石の位置を表すものである。２００は例えば電子機器の筐体等を示し、２０１および２０２はホール素子等からなる磁気センサである。
【００３１】
回転盤２３を回転させた場合、回転盤裏面に配置された磁石が回転し、機器筐体に２つ設けられたセンサ２０１および２０２で磁界の変化を検出するが、このときのセンサ２０１および２０２の検出位相差、および検出順序を監視することによって、回転量および回転方向の情報を得ることができ、この情報が電子機器本体の制御部へと供給され、画面に表示されたカーソルを移動させるなど所定の制御が行われる。尚、本例に適用される回転検出手段は、この例に限らず、その他周知技術を用いて種々の構成が採用できる。
【００３２】
そして、利用者がディスクジョグダイアルの回転操作を行うと、回転盤２３の回転軸２４はスイッチ２５を支点にして水平方向に回転するとともに、回転盤２３の所望の位置が押されると当該回転盤裏面と回転盤外周部近傍のスイッチ２５、２６ａ〜２６ｄのいずれかが当接して所望のスイッチがオンされる。
【００３３】
このような構成としたので、本例によれば、回転盤２３回転中心とこれら各スイッチ２６ａ〜２６ｄとを結ぶ半径延長上のこの回転盤２３周辺の機器筺体１上に、この回転盤２３表面と高さを異にした識別部として突起２７ａ〜２７ｄを設けるようにしたので、操作者が回転操作したときに、回転盤２３が回転してもダイアルを視認することなく突起２７ａ〜２７ｄによって指先の触覚にて回転盤２３下方に設けられた上下左右のスイッチ２６ａ〜２６ｄを押すことができる。
【００３４】
また、回転盤表面中心部近傍に窪み２３ａを設けたので、ダイアルを視認しなくても触覚にて回転盤２３中心を認知し押圧することができ、中心を認知せずに押してダイアルが回転してしまったり目的外のスイッチが押されたりといった誤操作を招くことなく、正確に速く操作することができる。
【００３５】
次に、図５を参照して本発明の他の実施の形態の例につき説明する。図５に本例の携帯電話機に搭載されたディスクジョグダイアルおよびその周辺形状について詳細に説明する。本例では、回転盤表面よりも機器筐体の方が高く、回転盤回転中心と各スイッチとを結ぶ半径延長上の回転盤周辺の機器筺体上に凹曲面の窪みを設けるようにしたものであり、その他は図４例と同様の構成としている。図５は本例のディスクジョグダイアルとその周辺部を示し、図５Ａは上面図、図５Ｂは図５ＡのＹ−Ｙ線断面図を表す。尚、図５において、図４に対応する部分には同一符号を付す。
【００３６】
図５Ａにおいて、３３は水平方向に回転自在に配置されたディスクジョグダイアルの回転盤を表すとともに、３３ａは回転盤３３表面の回転盤回転中心に設けられた突起である。３７ａ，３７ｂ，３７ｃ，３７ｄ（以下、３７ａ〜３７ｄと称する。）は、回転盤３３周辺の機器筐体（下側筐体）上に、後述する回転盤３３外周部近傍下方の上下左右位置に設けられた押圧スイッチ手段（以下、スイッチと称する。）の位置を認識するための識別部として設けられた窪みであり、回転盤３３回転中心と各スイッチとを結ぶ半径延長線上に配置されている。さらにこれらの窪みの形状が、操作する指の側下面（指の腹の側面）形状に整合するよう凹曲面となっている。
【００３７】
図５Ｂにおいて、１はこのディスクジョグダイアルが設置されている機器筐体（下側筐体）であり、回転盤３３および切断線Ｙ−Ｙ線上のスイッチ２５，２６ａ，２６ｃの断面を斜線で表している。スイッチ２６ａ，２６ｃはそれぞれ右側スイッチ、左側スイッチであり、図５Ａに示すように、この例ではスイッチは上下左右の４方向に設置されている。スイッチ２５は回転軸収納穴３１の底部に配置されるとともに、スイッチ２６ａ〜２６ｄは回転盤収納穴３２の底部所定位置にそれぞれ配置され、スイッチ２５の垂直押圧部を兼ねた回転軸２４が回転軸収納部３１に収納されるとともに回転盤３３が回転盤収納穴３２に収納されている。
【００３８】
このような構成としたので、本例によれば、回転盤３３回転中心とこれら各スイッチ２６ａ〜２６ｄとを結ぶ半径延長上のこの回転盤３３周辺の機器筺体１上に、この回転盤３３表面と高さを異にした識別部として窪み３７ａ〜３７ｄを設けるようにしたので、操作者が回転操作したときに、回転盤３３が回転してもダイアルを視認することなく窪み３７ａ〜３７ｄによって指先の触覚にて回転盤３３下方に設けられた上下左右のスイッチ２６ａ〜２６ｄを押すことができる。
【００３９】
また、窪み３７ａ〜３７ｄの形状を凹曲面としたので、さらに操作性が向上し、回転盤３３上で指を上下左右に滑らせて凹曲面に当たる位置で指を停止させ、その位置を押すことにより、正確かつ敏速に操作することができる。例えば、ゲームの操作装置など速い操作を要求される場合に特に有効である。
【００４０】
また、回転盤中心近傍に突起を設けたので、ダイアルを視認しなくても触覚にて回転盤３３中心を認知し押圧することができ、正確に速く操作することができる。その他、本例は図４例と同様の作用効果が得られる。
【００４１】
次に、図６を参照して本発明のさらに他の実施の形態の例につき説明する。図６に本例の携帯電話機に搭載されたディスクジョグダイアルおよびその周辺形状について詳細に説明する。本例では、回転盤と回転軸上スイッチが独立しているとももに、回転盤回転中心と各スイッチとを結ぶ半径延長上の回転盤周辺の機器筺体上に凹曲面の窪みを有する突起（凹凸部）を設けるようにしたものであり、その他は図４例と同様の構成としている。図６は本例のディスクジョグダイアルとその周辺部を示し、図６Ａは上面図、図６Ｂは図６ＡのＺ−Ｚ線断面図を表す。尚、図６において、図４に対応する部分には同一符号を付す。
【００４２】
図６Ａにおいて、４３は水平方向に回転自在に配置されたディスクジョグダイアルのドーナッツ形状の回転盤を表すとともに、４４は回転盤４３と独立して回転盤回転中心に設けられた垂直押圧部である。４０は回転盤４３と垂直押圧部４４との境界を形成するとともに、後述する回転盤４３の収納穴および垂直押圧器の収納穴を構成するものである。
【００４３】
４７ａ，４７ｂ，４７ｃ，４７ｄ（以下、４７ａ〜４７ｄと称する。）は、回転盤４３周辺の機器筐体（下側筐体）上に、後述する回転盤４３外周部近傍下方の上下左右位置に設けられたスイッチの位置を認識するための識別部として設けられた突起であり、回転盤４３回転中心と各スイッチとを結ぶ半径延長線上に配置されている。さらにこれらの突起４７ａ〜４７ｄは窪み４８ａ，４８ｂ，４８ｃ，４８ｄ（以下、４８ａ〜４８ｄと称する。）を有し、操作する指の側下面形状と整合するよう凹曲面となっている。
【００４４】
図６Ｂにおいて、１はこのディスクジョグダイアルが設置されている機器筐体（下側筐体）であり、回転盤４３および切断線Ｚ−Ｚ線上のスイッチ２５，２６ａ，２６ｃの断面を斜線で表している。スイッチ２６ａ，２６ｃはそれぞれ右側スイッチ、左側スイッチであり、図６Ａに示すように、この例ではスイッチは上下左右の４方向に設置されている。スイッチ２５は回転軸収納穴４１の底部に配置されるとともに、スイッチ２６ａ〜２６ｄは回転盤収納穴４２の底部所定位置にそれぞれ配置され、スイッチ２５の垂直押圧部４４が垂直押圧部収納部４１に収納されるとともに回転盤４３が回転盤収納穴４２に収納されている。
【００４５】
この例では、回転盤４３表面と機器筐体１の高さがほぼ同じであるが、回転盤４３回転中心とこれら各スイッチ２６ａ〜２６ｄとを結ぶ半径延長上のこの回転盤４３周辺の機器筺体１上に突起４７ａ〜４７ｄを設け、回転盤４３表面との高さに差をつけるとともに、これら突起４７ａ〜４７ｄの操作者の指が当たる部分に窪み４８ａ〜４８ｄを設けて、その他は図４例と同様の構成としている。
【００４６】
このような構成としたので、本例によれば、回転盤４３回転中心とこれら各スイッチ２６ａ〜２６ｄとを結ぶ半径延長上のこの回転盤４３周辺の機器筺体１上に、この回転盤４３表面と高さを異にした識別部としての窪み４８ａ〜４８ｄを有する突起４７ａ〜４７ｄを設けるようにしたので、操作者が回転操作したときに、回転盤４３が回転してもダイアルを視認することなく窪み４８ａ〜４８ｄによって指先の触覚にて回転盤４３下方に設けられた上下左右のスイッチ２６ａ〜２６ｄを押すことができる。
【００４７】
また、窪み４８ａ〜４８ｄの形状を凹曲面としたので、さらに操作性が向上し、回転盤４３上で指を上下左右に滑らせて凹曲面に当たる位置で指を停止させ、その位置を押すことにより、正確かつ敏速に操作することができる。例えば、ゲームの操作装置など速い操作を要求される場合に特に有効である。その他、本例は図４例と同様の作用効果が得られる。
【００４８】
この例では、回転盤４３がドーナッツ形状で回転中心部にある垂直押圧部４４が独立して回転しない構造であるので、スイッチを回転盤４３内周部近傍下方に設けることも可能である。
【００４９】
尚、本発明の回転盤周辺の筐体表面の押圧スイッチに対応する位置に設ける識別部は、指先の触覚で識別できればよく、例えば、凸部と凹部とが連続して形成される波状形状のようなものでもよい。
【００５０】
また、本発明は、上述した携帯電話機の他に、ゲーム機、ＰＤＡ（携帯情報端末）およびパーソナルコンピュータ等さまざまな機器の操作部に適用することができる。
【００５１】
また、本発明は上述した実施の形態の例に限られるものではなく、本発明の要旨を逸脱することなくその他種々の構成を取り得ることは勿論である。
【００５２】
【発明の効果】
斯かる本発明によれば、回転盤周辺の筐体の表面の押圧スイッチ手段に対応する位置に、この回転盤表面と高さを異にした識別部を設けるようにしたので、回転盤が回転しても回転盤下方に設置された押圧スイッチ手段の位置を触覚にて容易に把握することができ、操作性を向上させることができる。
【図面の簡単な説明】
【図１】本発明の一実施の形態の例の折畳み型携帯電話機の全開状態の外観斜視図である。
【図２】図１の折畳み型携帯電話機のやや開いた状態の外観斜視図である。
【図３】本発明の一実施の形態の例の携帯電話機の回路構成の例を示すブロック線図である。
【図４】本発明の一実施の形態の例のディスクジョグダイアル周辺形状を示す上面図および断面図である。
【図５】本発明の他の実施の形態の例のディスクジョグダイアル周辺形状を示す上面図および断面図である。
【図６】本発明の他の実施の形態の例のディスクジョグダイアル周辺形状を示す上面図および断面図である。
【図７】従来のディスクジョグダイアル周辺形状を示す上面図および断面図である。
【図８】回転検出器の一例を示す線図である。
【符号の説明】
１・・・・機器筺体（下側筐体）、２３，３３，４３，２０３・・・・回転盤、２３ａ・・・・窪み、３３ａ・・・・突起、２５，２６ａ，２６ｂ、２６ｃ、２６ｄ・・・・スイッチ（押圧スイッチ手段）、２７ａ，２７ｂ，２７ｃ，２７ｄ，３７ａ，３７ｂ，３７ｃ，３７ｄ，４７ａ，４７ｂ，４７ｃ，４７ｄ，４８ａ，４８ｂ，４８ｃ，４８ｄ・・・・識別部、２０１，２０２・・・・磁気センサ（回転検出手段）
【図１】
2004296129.tif 000003
【図２】
2004296129.tif 000004
【図３】
2004296129.tif 000005
【図４】
2004296129.tif 000006
【図５】
2004296129.tif 000007
【図６】
2004296129.tif 000008
【図７】
2004296129.tif 000009
【図８】
2004296129.tif 000010